(57)【特許請求の範囲】
【請求項１】
充電ケーブルを車輌の充電口に接続する充電ケーブル接続構造において、
前記充電ケーブルには、一端にプラグ部が設けられ、
前記充電口には、
前記充電ケーブルのプラグ部が差し込まれるソケット部と、
該ソケット部を覆う位置及び前記ソケット部を覆わない位置の間でスライド可能に設けられた蓋体と、
該蓋体に設けられ、前記プラグ部を当接させる当接部と、
前記プラグ部の前記当接部に対する当接位置を定める位置決め手段と、
前記ソケット部を覆う位置へ前記蓋体を付勢する付勢手段と
が設けられ、
前記蓋体が前記ソケット部を覆わない位置へスライドされた場合、前記位置決め手段により位置決めされた前記プラグ部が前記ソケット部に対向するようにしてあること
を特徴とする充電ケーブル接続構造。
【請求項２】
前記蓋体は、前記車輌の上下方向へスライド可能に設けてあり、
前記付勢手段は、前記車輌の上方へ前記蓋体を付勢するようにしてあること
を特徴とする請求項１に記載の充電ケーブル接続構造。
【請求項３】
前記当接部は、下方へ凹む形状をなしていること
を特徴とする請求項２に記載の充電ケーブル接続構造。
【請求項４】
前記充電ケーブルの前記プラグ部には、凸部又は凹部が設けられ、
前記位置決め手段は、前記プラグ部の凸部又は凹部に係合する凹部又は凸部であり、前記当接部に設けてあること
を特徴とする請求項１乃至請求項３に記載の充電ケーブル接続構造。
【請求項５】
前記プラグ部が前記当接部に当接していない場合に、前記蓋体のスライドを制限するロック手段を備えること
を特徴とする請求項１乃至請求項４のいずれか１つに記載の充電ケーブル接続構造。
【請求項６】
充電ケーブルの一端に設けられたプラグが差し込まれるソケット部と、
ソケット部を覆う位置及び前記ソケット部を覆わない位置の間でスライド可能に設けられた蓋体と、
該蓋体に設けられ、前記プラグ部を当接させる当接部と、
前記プラグ部の前記当接部に対する当接位置を定める位置決め手段と、
前記ソケット部を覆う位置へ前記蓋体を付勢する付勢手段と
を備え、
前記蓋体が前記ソケット部を覆わない位置へスライドされた場合、前記位置決め手段により位置決めされた前記プラグ部が前記ソケット部に対向するようにしてあること
を特徴とする車輌の充電口。
【発明の詳細な説明】
【技術分野】
【０００１】
本発明は、電気自動車又はハイブリッド自動車等の電力で走行する車輌にて、外部電源からの充電を行う充電ケーブルの先端に設けられたプラグ部を接続するための充電ケーブル接続構造及び車輌の充電口に関する。
【背景技術】
【０００２】
近年、モータ及び蓄電装置等を搭載して電力にて走行する電気自動車及びハイブリッド自動車が普及し始めている。ガソリンなどの燃料を動力源とするエンジンを搭載しない電気自動車では、モータによる走行を行うために、外部の電源から蓄電装置への充電を行う必要がある。またエンジンを搭載したハイブリッド自動車であっても、外部電源からの蓄電装置への充電を可能とした車輌がある。このような車輌においては、電力供給用の充電ケーブルなどが接続される充電口が車体に設けられており、充電ステーション又は自宅駐車場等にてユーザが車輌の充電口へ充電ケーブルを接続することによって、外部電源から車輌の蓄電装置への充電が行われる。
【０００３】
充電ケーブルは、一端が車輌に接続され、他端が外部電源に接続される。充電ケーブルの一端には、車輌の充電口に挿入され、複数の金属端子を有するプラグ部が設けられる。車輌の充電口には、挿入された充電ケーブルのプラグ部の金属端子に嵌合する複数の金属端子を有するソケット部が設けられる。また車輌の充電口には、充電ケーブルが接続されない場合に、ソケット部を覆い隠す一又は複数の蓋体が設けられる。車輌の蓄電装置の充電を行う場合、ユーザは、車輌の充電口の蓋体を開いて又は外して、外部電源に接続された充電ケーブルのプラグ部を車輌のソケット部へ挿入し、充電を開始する。
【０００４】
特許文献１においては、接続作業を安全に行い得る電気自動車の蓄電装置充電用電源コネクタが提案されている。このコネクタは、電気自動車の凹部内に設けられた２本の棒状電極端子を有する蓄電装置側コネクタと、凹部に挿入可能に形成されると共に、凹部内の２本の棒状電極端子に嵌合する２つの孔が設けられて、外部の充電装置に接続される充電装置側コネクタとにより構成される。蓄電装置側コネクタには、充電装置側コネクタが引き抜かれるときに凹部を閉鎖するシャッタが設けられ、棒状電極端子には摺動自在に電極保護部材が外挿される。充電装置側コネクタには、凹部内に挿入される部分の周囲に伸縮自在な環状部材が設けられている。
【先行技術文献】
【特許文献】
【０００５】
【特許文献１】特開平９−２６６０２５号公報
【発明の概要】
【発明が解決しようとする課題】
【０００６】
外部電源から車輌への充電を行うための充電ケーブルは、一又は数本の電力線と、接地電位用の接地線との他に、制御信号又は制御情報等の授受を行うための一又は複数の信号線が含まれており、これら複数の線を束ねた構成である。このため充電ケーブルのプラグ部には複数の金属端子が設けられると共に、車輌の充電口のソケット部にもこれらに嵌合する複数の金属端子が設けられる。ユーザは、充電ケーブルのプラグ部を車輌のソケット部へ挿入する際に、これら複数の金属端子が正しく嵌合するように、プラグ部及びソケット部の位置合わせを行う必要がある。
【０００７】
このように、充電ケーブルを車輌の充電口に接続する場合、ユーザは充電口のソケット部に対して充電ケーブルのプラグ部を正確な位置に合わせなければプラグ部をソケット部へ挿入することができないため、短時間で充電を開始することができず、ユーザにとって操作が煩わしいという問題があった。また、特に急速充電を行うための充電ケーブルはある程度の重量があるため、プラグ部及びソケット部の位置合わせのために長時間に亘って充電ケーブルを保持することは、高齢者などのユーザにとって負担が大きいという問題があった。
【０００８】
本発明は、斯かる事情に鑑みてなされたものであって、その目的とするところは、車輌の充電口に対する充電ケーブルの接続作業を短時間で容易に行うことができる充電ケーブル接続構造及び車輌の充電口を提供することにある。
【課題を解決するための手段】
【０００９】
本発明に係る充電ケーブル接続構造は、充電ケーブルを車輌の充電口に接続する充電ケーブル接続構造において、前記充電ケーブルには、一端にプラグ部が設けられ、前記充電口には、前記充電ケーブルのプラグ部が差し込まれるソケット部と、該ソケット部を覆う位置及び前記ソケット部を覆わない位置の間でスライド可能に設けられた蓋体と、該蓋体に設けられ、前記プラグ部を当接させる当接部と、前記プラグ部の前記当接部に対する当接位置を定める位置決め手段と、前記ソケット部を覆う位置へ前記蓋体を付勢する付勢手段とが設けられ、前記蓋体が前記ソケット部を覆わない位置へスライドされた場合、前記位置決め手段により位置決めされた前記プラグ部が前記ソケット部に対向するようにしてあることを特徴とする。
【００１０】
また、本発明に係る充電ケーブル接続構造は、前記蓋体が、前記車輌の上下方向へスライド可能に設けてあり、前記付勢手段は、前記車輌の上方へ前記蓋体を付勢するようにしてあることを特徴とする。
【００１１】
また、本発明に係る充電ケーブル接続構造は、前記当接部が、下方へ凹む形状をなしていることを特徴とする。
【００１２】
また、本発明に係る充電ケーブル接続構造は、前記充電ケーブルの前記プラグ部には、凸部又は凹部が設けられ、前記位置決め手段は、前記プラグ部の凸部又は凹部に係合する凹部又は凸部であり、前記当接部に設けてあることを特徴とする。
【００１３】
また、本発明に係る充電ケーブル接続構造は、前記プラグ部が前記当接部に当接していない場合に、前記蓋体のスライドを制限するロック手段を備えることを特徴とする。
【００１４】
また、本発明に係る車輌の充電口は、充電ケーブルの一端に設けられたプラグが差し込まれるソケット部と、ソケット部を覆う位置及び前記ソケット部を覆わない位置の間でスライド可能に設けられた蓋体と、該蓋体に設けられ、前記プラグ部を当接させる当接部と、前記プラグ部の前記当接部に対する当接位置を定める位置決め手段と、前記ソケット部を覆う位置へ前記蓋体を付勢する付勢手段とを備え、前記蓋体が前記ソケット部を覆わない位置へスライドされた場合、前記位置決め手段により位置決めされた前記プラグ部が前記ソケット部に対向するようにしてあることを特徴とする。
【００１５】
本発明においては、充電ケーブルのプラグ部が差し込まれるソケット部に対して、ソケット部を覆う位置及びソケット部を覆わない位置の間でスライドするように蓋体を設けると共に、ソケット部を覆う位置へ蓋体を付勢する付勢手段を設ける。また、蓋体には充電ケーブルのプラグ部の側部を当接させる当接部を設けると共に、当接部に対するプラグ部の当接位置を定める位置決め手段を設け、ソケット部を覆わない位置へ蓋体がスライドされた場合に位置決めされたプラグ部がソケット部に対向するよう構成する。
これによりユーザは、充電ケーブルのプラグ部を当接部へ当接させて蓋体をスライドさせる操作を行うことで、充電ケーブルのプラグ部を位置決めした状態でプラグ部及びソケット部を対向させることができ、その後は充電ケーブルを押し込むことによってプラグ部をソケット部へ差し込むことができるため、容易に充電ケーブルを車輌の充電口に接続することができる。
また蓋体が付勢手段により付勢されているため、ユーザが充電ケーブルを充電口から抜き取った場合、ソケット部が蓋体によって覆い隠される。よってユーザによる蓋体を閉じる作業が必要なく、蓋体の閉め忘れが生じることがないため、ソケット部へ塵埃又は水滴等が侵入することを防止できる。
【００１６】
また、本発明においては、蓋体を車輌の上下方向へスライド可能に設けると共に、蓋体を上方へ付勢する。この構成により、ユーザが蓋体を下方へスライドさせる際には、当接部にプラグ部が当接した充電ケーブルの重量による下方への力が蓋体へ加わるため、蓋体をスライドさせるために必要なユーザの力の負荷を低減することができる。
【００１７】
また、本発明においては、蓋体の当接部を、車輌の下方へ向けて凹む形状（例えば円弧状又はＶ字状）とする。これによりユーザは、充電ケーブルのプラグ部を蓋体の当接部に当接させる際に、当接部の凹みにプラグ部を載置すればよく、載置後にプラグ部を下方へ移動させることによって蓋体をスライドさせることができる。よって、充電ケーブルの接続操作をより容易化することができる。
【００１８】
また、本発明においては、充電ケーブルのプラグ部に凸部又は凹部を設け、充電口の蓋体の当接部に凹部又は凸部を設けて、凸部及び凹部の係合によってプラグ部の位置決めを行う構成とする。これにより、簡単な構成で確実な位置決めを実現することができる。
【００１９】
また、本発明においては、充電ケーブルのプラグ部が蓋体の当接部に当接していない場合には、蓋体のスライドをロック手段により制限する。蓋体は、ソケット部を覆う位置へ付勢されているため、ロック手段によってこの位置に固定される。ロック手段は、例えばプラグ部が当接部に当接した際に押下などがなされるスイッチを有し、蓋体に係合してスライドを制限する部材をスイッチの押下などに応じて動作させる構成とすることができ、機械式又は電気式のいずれの機構であってもよい。これにより、ユーザが充電を行わない場合には、蓋体がソケット部を覆って固定されるため、ソケット部が露出することがなく、ソケット部へ塵埃又は水滴等が侵入することを確実に防止できる。
【発明の効果】
【００２０】
本発明による場合は、ソケット部を覆う位置及び覆わない位置の間でスライドするように蓋体を設け、ソケット部を覆う位置へ蓋体を付勢する付勢手段を設けると共に、蓋体にはプラグ部の側部を当接させる当接部を設け、当接部に対するプラグ部の当接位置を定める位置決め手段を設け、ソケット部を覆わない位置へ蓋体がスライドされた場合に位置決めされたプラグ部をソケット部に対向させる構成とすることにより、ユーザが充電ケーブルのプラグ部を当接部へ当接させて蓋体をスライドさせる操作を行うことで、充電ケーブルのプラグ部を位置決めした状態でプラグ部及びソケット部を対向させることができ、その後は充電ケーブルを押し込むことによってプラグ部をソケット部へ差し込むことができる。よって、ユーザは、車輌の充電口に対する充電ケーブルの接続作業を短時間で容易に行うことができる。
【図面の簡単な説明】
【００２１】
【図１】本発明に係る車輌の充電口の構成を示す模式的正面図である。
【図２】本発明に係る車輌の充電口の構成を示す模式的正面図である。
【図３】本発明に係る車輌の充電口の構成を示す模式的断面図である。
【図４】本発明に係る車輌の充電口の構成を示す模式的断面図である。
【図５】本発明に係る車輌の充電口の構成を示す模式的断面図である。
【図６】変形例に係る車輌の充電口の構成を示す模式的正面図である。
【発明を実施するための形態】
【００２２】
以下、本発明をその実施の形態を示す図面に基づき具体的に説明する。図１及び図２は、本発明に係る車輌の充電口の構成を示す模式的正面図である。また、図３〜図５は、本発明に係る車輌の充電口の構成を示す模式的断面図である。図において１は、車輌の車体側面などに設けられた充電口である。充電口１は、車体側面などに形成された正面視が略矩形の凹所１ａ内に設けられている。
【００２３】
車体に設けられた凹所１ａは、車体側面などにて略矩形に開口し、車体側面から略水平方向に凹む態様で形成されている。凹所１ａは、車体の上下方向に２段階で深さ（凹み量）が異なり、上側が浅く、下側が深く形成されている。また凹所１ａは、図示しない外蓋で覆われて閉塞される。この外蓋は、車体に対して着脱可能に設けられていてもよく、ヒンジ構造などによって車体に開閉自在に設けられていてもよい。
【００２４】
凹所１ａの下側（深い部分）の略中央には、略円筒形のソケット部１０が、凹所１ａの底部から外方へ向けて突出するように設けられている。ソケット部１０は、突端部の位置が凹所１ａの上側の底部の位置と略同じになるように、凹所１ａの下側の底部から突出して設けられている。またソケット部１０の内部には、金属製の接続端子が複数設けられている（図示は省略する）。ソケット部１０は充電ケーブル５０の一端に設けられたプラグ部５１が挿入可能な形状としてあり、プラグ部５１がソケット部１０へ挿入された場合、プラグ部５１の接続端子とソケット部１０の接続端子とが嵌合して接続されることにより、充電ケーブル５０と車輌（の内部装置）とが電気的に接続される。
【００２５】
凹所１ａ内には、ソケット部１０を覆う位置と覆わない位置との間で、車体の上下方向にスライド可能となるように、スライド内蓋２０が設けられている。スライド内蓋２０は、正面視で下辺が円弧状に凸をなし、上辺が円弧状に凹をなす板状の蓋本体２１を有し、蓋本体２１が車体の上下方向にスライドするようにしてある。また凹所１ａの下側の側面には、スライド内蓋２０の蓋本体がスライドの際に出入する開口が形成されている。
【００２６】
またスライド内蓋２０は、蓋本体２１の上辺に沿って、車体の水平方向に凹所１ａの外側へ向けて突出して設けられたひさし状のプラグ受け部２２を有している。スライド内蓋２０の蓋本体２１とプラグ受け部２２とは一体的にスライドする。スライド内蓋２０のプラグ受け部２２は、車体の下方へ円弧状に湾曲した板状をなしており、上面の略中央（最も凹んだ部分）には、プラグ受け部２２の蓋本体２１からの突出方向に長い溝状の位置決め凹部２３が形成されている。プラグ受け部２２は、充電ケーブル５０のプラグ部５１の側面を当接させて載置するための部分である。位置決め凹部２３は、プラグ受け部２２に対するプラグ部５０の当接位置を定めるためのものである。
【００２７】
また凹所１ａ内には、スライド内蓋２０の左右両側に、スライド内蓋２０を車体の上下方向にスライド可能に保持するスライド機構３０がそれぞれ設けられている。スライド内蓋２０には、蓋本体２１の左右にそれぞれ細長い板状の突出部２４が設けられており、スライド機構３０は、スライド内蓋２０の両側の突出部２４にそれぞれ回転可能に設けられた歯車３１と、車体の上下方向に固定して設けられて歯車３１に噛合するラック歯３２とを有している。歯車３１とラック歯３２とが噛合しながらスライド内蓋２０が上下方向にスライドする構成とすることによって、スライド内蓋２０のスライドを円滑に行うことを可能としている。
【００２８】
またスライド機構３０は、スライド内蓋２０の突出部２４と車体との間にそれぞれ介在し、スライド内蓋２０を車体の上方へ向けて付勢するバネ３３を有している。これによりスライド内蓋２０は、車体の上方、即ちソケット部１０を覆い隠す位置へ付勢されており（図１参照）、バネ３３の付勢力に抗してスライド内蓋２０を下方へスライドさせることによって、ソケット部１０を外部に露出させることができる（図２参照）。
【００２９】
充電ケーブル５０は、充電ステーションなどに設置された給電装置に接続されるものである。充電ケーブル５０の一端には、ユーザが把持するための把持部５２が設けられ、把持部５２の先端には、車輌の充電口に差し込まれるプラグ部５１が設けられている。把持部５２は、円柱を約３０°〜４５°程度湾曲させた形状をなしており、一端面にプラグ部５１が突設され、他端面からケーブル部５４が延出している。
【００３０】
充電ケーブル５０のプラグ部５１は、略円筒形をなしており、その外径はソケット部１０の内径に略等しく、プラグ部５１をソケット部１０内に挿入できる形状としてある。プラグ部５１内には、ケーブル部５４と電気的に接続された金属製の接続端子が複数設けられており（図示は省略する）、プラグ部５１がソケット部１０へ挿入された場合、プラグ部５１の接続端子とソケット部１０の接続端子とが嵌合して接続され、充電ケーブル５０と車輌（の内部装置）とが電気的に接続される。
【００３１】
またプラグ部５１の外周面には、周方向の一箇所に、プラグ部５１の軸方向に長い直方体状の位置決め凸部５３が突設されている。プラグ部５１の位置決め凸部５３は、充電口１のスライド内蓋２０に形成された位置決め凹部２３に嵌合する形状をなしている。
【００３２】
これによりユーザは、充電ケーブル５０を車輌の充電口１に接続して充電を行う際に、プラグ部５１の位置決め凸部５３がスライド内蓋２０の位置決め凹部２３に嵌合するように、把持部５２を把持してプラグ部５１をスライド内蓋２０のプラグ受け部２２上に載置することによって（図３参照）、プラグ部５１の周方向に関する位置決めが行われる。
【００３３】
充電ケーブル５０のプラグ部５１をスライド内蓋２０のプラグ受け部２２上に載置した後、ユーザは把持部５２を把持した充電ケーブル５０を下方へ押し下げることによって、スライド内蓋２０をバネ３３の付勢力に抗して下方へスライドさせることができる（図４参照）。このとき、充電ケーブル５０自体の重量がスライド内蓋２０へ加わり、ユーザによるスライド内蓋２０のスライド操作を補助することができる。
【００３４】
またスライド内蓋２０は、スライド可能範囲の下端位置までスライドされた場合（ソケット部１０を覆わない位置までスライドされた場合）、プラグ受け部２２の円弧状の上面とソケット部１０の内面とが略一致するように、スライドの下端位置が設定されている（図２参照）。これにより、ユーザが充電ケーブル５０のプラグ部５０をスライド内蓋２０のプラグ受け部２２上に載置してスライド内蓋２０を下端位置までスライドさせた場合、ソケット部１０とプラグ受け部２２上に載置されたプラグ部５１とが対向し、プラグ受け部２２の上面及びソケット部１０の内面に沿ってプラグ部５１をソケット部１０の奥方へ挿入することが可能となる（図４及び図５参照）。即ち、ユーザはプラグ部５１をプラグ受け部２２上に載置してスライド内蓋２０を下端位置までスライドさせることにより、ソケット部１０に対するプラグ部５１の上下方向に関する位置決めを行うことができる。
【００３５】
以上の充電ケーブル接続構造は、充電口１のソケット部１０を覆う位置及び覆わない位置の間でスライドするスライド内蓋２０を設け、スライド内蓋２０をバネ３３によりソケット部１０を覆う位置へ付勢すると共に、スライド内蓋２０にはプラグ部５１の側部を当接させるソケット受け部２２、及びプラグ部５１の当接位置を定める位置決め凹部２３を設け、ソケット部１０を覆わない位置へスライド内蓋２０がスライドされた場合に、位置決めされたプラグ部５１をソケット部１０に対向させる構成である。これによりユーザは、充電ケーブル５０のプラグ部５１をスライド受け部２２に当接させた状態で、スライド内蓋２０をスライドさせる操作を行うことによって、当接により位置決めされたプラグ部５１をソケット部１０に対向させることができ、その後はプラグ部５１を押し込むことによってソケット部１０へ差し込むことができるため、充電ケーブル５０を充電口１へ容易に接続することができる。またユーザが充電ケーブル５０を充電口１から抜き取った場合、バネ３３にて付勢されたスライド内蓋２０がソケット部１０を覆い隠すため、ユーザによる蓋体を閉じる作業が必要なく、ソケット部１０へ塵埃又は水滴等が侵入することを防止できる。
【００３６】
また、スライド内蓋２０を車輌の上下方向にスライド可能に設けると共に、バネ３３にてスライド内蓋２０を上方へ付勢する構成とすることにより、ユーザがスライド内蓋２０を下方へスライドさせる際には、プラグ受け部２２にプラグ部５１が当接した充電ケーブル５０の重量による下方への力がスライド内蓋２０へ加わるため、ユーザの負荷を低減することができる。
【００３７】
また、スライド内蓋２０のプラグ受け部２２を車輌の下方へ向けて凹む円弧状とすることにより、ユーザは充電ケーブル５０のプラグ部５１をプラグ受け部２２の凹みに載置すればよいため、接続操作をより容易に行うことができる。なお、円弧状のプラグ受け部２２の形状は、円筒状のプラグ部５１の外周面の形状に略一致させ、プラグ受け部２２とプラグ部５１とが密接する構成とすることが望ましい。
【００３８】
また、充電ケーブル５０のプラグ部５１に位置決め凸部５３を設け、スライド内蓋２０のプラグ受け部２２に位置決め凹部２３を設けて、位置決め凸部５３及び位置決め凹部２３の係合によりプラグ部５１の周方向の位置決めを行う構成とすることにより、簡単な構造で確実な位置決めを実現することができる。
【００３９】
なお本実施の形態においては、スライド内蓋２０のプラグ受け部２２を下方へ凹んだ円弧状としたが、これに限るものではなく、中央部分が下方へ凹んだＶ字型などその他の形状としてもよい。この場合には、プラグ部５１の形状をプラグ受け部２２の形状に合わせて、プラグ部５１がプラグ受け部２２に密接できる形状とすることが好ましい。
【００４０】
また、プラグ部５１に位置決め凸部５３を設け、プラグ受け部２２に位置決め凹部２３を設ける構成としたが、これに限るものではなく、プラグ部５１に凹部を設け、プラグ受け部２２に凸部を設けて、この凹部及び凸部の係合によって位置決めを行う構成としてもよい。また、スライド内蓋２０の付勢をバネ３３にて行う構成としたが、これに限るものではなく、その他の部材を用いて付勢を行う構成としてもよい。またスライド機構３０は、スライド内蓋２０の突出部２４に設けられた歯車３１と、ラック歯３２との噛合によりスライドを実現する構成としたが、これに限るものではなく、スライド内蓋２０のスライドはその他の構成で実現してもよい。
【００４１】
（変形例）
図６は、変形例に係る車輌の充電口１の構成を示す模式的正面図である。変形例に係る充電口１０１は、図１に示した充電口１に対して、スライド内蓋２０のスライドを制限するロック手段を更に設けた構成である。スライド内蓋２０の位置決め凹部２３の底部分には、充電ケーブル５０のプラグ部５１がプラグ受け部２２に載置された際にプラグ部５１の位置決め凹部５３にて押下されるスイッチ１２５が設けられている。またスライド内蓋２０の両側面には、スイッチ１２５が押下されていない場合に突出し、スイッチ１２５が押下された場合に没入するロック突起１２６がそれぞれ設けられている。
【００４２】
また凹所１ａ内には、スライド内蓋２０の両側にスライド機構３０を収容するケースが設けられている。このケースには、スライド内蓋２０が上端位置にスライドされた場合に、ロック突起１２６が挿入される凹部が形成されている。これによりスライド内蓋２０は、充電ケーブル５０のプラグ部５１がプラグ受け部２２に載置されず、スイッチ１２５が押下されていない場合、バネ３３によりソケット１０を覆う位置へ付勢されると共に、この位置でロック突起１２６がスライド機構３０のケースに設けられた凹部に挿入されて係止されることにより、下方へのスライドが制限される。プラグ部５１がプラグ受け部２２に載置され、スイッチ１２５が押下された場合、ロック突起１２６による係止が解除され、スライド内蓋２０は下方へスライド可能となる。
【００４３】
なお、スイッチ１２５の押下に応じたロック突起１２６の出入は、電気的な機構を用いて実現してもよく、機械的な機構を用いて実現してもよい。
【符号の説明】
【００４４】
１  充電口
１ａ  凹所
１０  ソケット部
２０  スライド内蓋（蓋体）
２１  蓋本体
２２  プラグ受け部（当接部）
２３  位置決め凹部（位置決め手段）
２４  突出部
３０  スライド機構
３１  歯車
３２  ラック歯
３３  バネ（付勢手段）
５０  充電ケーブル
５１  プラグ部
５２  把持部
５３  位置決め凸部
５４  ケーブル部
１０１  充電口
１２５  スイッチ
１２６  ロック突起（ロック手段）
【図１】
0005531895.tif 000002
【図２】
0005531895.tif 000003
【図３】
0005531895.tif 000004
【図４】
0005531895.tif 000005
【図５】
0005531895.tif 000006
【図６】
0005531895.tif 000007